(57)【要約】      （修正有）【課題】竿掛けアームアーム固定具との嵌合部分を簡略化して複雑な動きや機構を排除しスムーズな動きの可能な物干し竿支持装置を提供する。【解決手段】竿掛けアーム３はアーム上背側縁部６に刻設した長手方向に伸びるスライド溝７を有し、該スライド溝の端部で前記スライド溝の延長上に並列して第一のアーム枢着軸９と第二のアーム枢着軸１０を突設して設け、該第一並びに第二のアーム枢着軸をアーム固定具の上部壁と斜壁並びにＲ壁と前壁が構成する竿掛けアーム挟持部１７に嵌着し、該アーム挟持部の範囲で摺動及び回動自在に枢設し、該第一のアーム枢着軸が前記アーム挟持部の斜壁に当接され第二のアーム枢着軸がアーム挟持部の前壁に当接されると前記竿掛けアーム長手方向が水平方向に保持される。【選択図】図３
2008022944.tif 000002
【特許請求の範囲】
【請求項１】
複数個の物干し竿の挿通孔を穿設された一対の竿掛けアームと、該それぞれの竿掛けアームを保持するアーム保持具からなり、該一対の竿掛けアームはアーム保持具に対してそれぞれ４０度の固定や水平方向に固定しての使用が可能であり、該竿掛けアームの固定位置を任意に設定し物干し竿を装架することで該物干し竿に洗濯物を干すことを可能となし、また、一旦、一対の竿掛けアームを垂直方向に持ち上げてそのままそれぞれのアーム保持体に対して摺動させることにより竿掛けアームを下げ下ろし可能となし、該それぞれの竿掛けアームを垂直方向で収納固定する機能を有した物干し金物において、
前記、竿掛けアームはアーム上背側縁部に刻設した長手方向に伸びるスライド溝を有し、
該スライド溝の端部で前記スライド溝の延長上に並列して第一のアーム枢着軸と第二のアーム枢着軸を突設して設け、
該第一並びに第二のアーム枢着軸をアーム固定具の上部壁と斜壁並びにＲ壁と前壁が構成する竿掛けアーム挟持部に嵌着し、該アーム挟持部の範囲で摺動及び回動自在に枢設し、
該第一のアーム枢着軸が前記アーム挟持部の斜壁に当接され第二のアーム枢着軸がアーム挟持部の前壁に当接されると前記竿掛けアーム長手方向が水平方向に保持されること、
また、前記Ｒ壁の縁部間に第一のアーム枢着軸の係止突起を形成して、
該係止突起に第一のアーム枢着軸が係止されると共に第二のアーム枢着軸がアーム挟持部の前壁に当接すると前記竿掛けアーム長手方向が水平方向から略４０度に保持されること、
を特徴とする物干し竿支持装置。
【請求項２】
前記Ｒ壁の縁部間に形成される係止突起は一個のみならず複数個形成され、
該複数個の係止突起に第一のアーム枢着軸が係止されると共に第二のアーム枢着軸がアーム挟持部の前壁に当接するように構成し、
前記竿掛けアーム長手方向が水平方向から略３０度、略６０度に保持されること、或いは略２０度、略４０度、略６０度に保持されること、
を特徴とする請求項１記載の物干し竿支持装置。
【請求項３】
前記竿掛けアームに刻設されたスライド溝の端部で前記スライド溝の延長上に並列、そして突設して設けられた第一のアーム枢着軸と第二のアーム枢着軸間は他の竿掛けアームの肉厚と同程度の薄厚形状を有し、
前記竿掛けアームの第一並びに第二のアーム枢着軸をアーム固定具の上部壁と斜壁並びにＲ壁と前壁が構成する竿掛けアーム挟持部に嵌着した際に該第一のアーム枢着軸と第二のアーム枢着軸間の薄厚形状に前記アーム固定具の片側または両側から突設して設けられたアーム溝形成縁部が内設されて前記第一並びに第二のアーム枢着軸の回動並びに摺動溝を形成したこと、
また、前記第一並びに第二のアーム枢着軸が回動並びに摺動する竿掛けアーム挟持部の縁部並びにアーム溝形成縁部には樹脂製の音止め部材を被覆して設けたこと、
を特徴とする請求項並びに請求項２に記載の物干し竿支持装置。
【請求項４】
前記アーム保持具は竿掛けアームを保持して該竿掛けアームを略４０度の上傾きに固定したり水平方向に固定しての使用が可能で、更にまた、竿掛けアームを垂直方向に持ち上げてそのままアーム保持具に対して摺動させることにより竿掛けアームを下げ下ろして竿掛けアームを垂直方向で収納固定する機能を有しており、該アーム保持具は手摺壁や手摺支柱に固定され該高さを伸長したり縮小可能な上下式ポールの上部に装着して利用可能に構成したこと、
を特徴とする請求項１乃至請求項３に記載の物干し竿支持装置。
【発明の詳細な説明】
【技術分野】
【０００１】
本発明は壁面施工型の物干し金物支持装置に関するものであり、特に本発明は角度可変タイプの壁付け型物干し金物において、該物干し金物の竿掛けアームは、水平面より略４０度の上傾きを有して固定されたり、水平方向に固定しての使用が可能であり、また、竿掛けアームを垂直方向で収納固定する機能を有した物干し竿支持装置を提供するものである。
【背景技術】
【０００２】
コンクリート製腰壁からなる手摺に設置される物干し金物は、所謂、壁付け型物干し金物と呼ばれている。壁付け型物干し金物は、一対の竿掛けアームと、それぞれの竿掛けアームを保持するアーム保持具から構成されており、該竿掛けアームは、アーム保持体に対して回動可能に回転軸にて連繋されていて、該回転軸を中心に回動する竿掛けアームは任意位置に設けられた係止ピン係合することにより、アーム保持体に対して角度を有して斜め上方向、例えば水平面に対して４５度の固定や、水平方向に固定しての使用が可能で、該竿掛けアームの固定位置を選択して設定することにより、洗濯物を干すことができる。
【０００３】
また、竿掛けアームをそのまま下げ下ろし、該竿掛けアームを収納固定する機能等も設けられており、収納時には、竿掛けアームや物干し竿がバルコニー内部側に突出することがなくバルコニーを有効利用できる。
【０００４】
而して、竿掛けアームの角度可変機構を有した物干し金物の従来例として特許第３７３５２９５号（以下特許文献１と称する）がある。
また、従来より竿掛けアームを回動させて上向き方向に収納するタイプの物干し金物として、特許第３０５１６９６号（以下特許文献２と称する）が知られている。
【０００５】
特許文献１の発明は、コンクリートの腰壁壁面等に直接固定する構成で摺動溝を穿設された固定部材と、物干し竿の挿通孔を複数個有するアーム部材の２点部材からなり、該固定部材には穿設された摺動溝に嵌合されたアーム支持軸が前記アーム部材に穿設された長孔を貫通して連繋されており、また前記固定部材にはアーム支持軸の摺動溝並びに前記アーム部材端部に設けられた第１の係止ピン受け部並びに第２の係止ピン受け部に係合可能な複数の係止ピンがネジ止めされており、前記アーム部材は長孔を介してアーム支持軸にて固定部材に対して回動並びに摺動可能に構成され、アーム部材を回動並びに摺動させて前記アーム部材の第１の係止受け部と第２の係止受け部を前記固定部材に植設されている係止ピンに係合させることで数段階のアーム部材の高さ可変と収納位置でのアーム部材のロックを可能にしたものである。
【０００６】
而して、特許文献１は、上記構成を有することにより、例えば、竿掛けアーム部材を高い位置、水平位置、そして水平位置よりも下方の位置及び収納位置に可変設定できるというものである。
【０００７】
然しながら、特許文献１において、竿掛けアーム部材の角度可変操作は、長孔に沿ってアーム支持軸を摺動させながら、該竿掛けアーム部材を回動せしめ竿掛けアーム部材の先端部に設けられた第２の係止ピン受け部をそれぞれの係止ピンに係合するといった複雑な操作を要求され、また、前記、第２の係止ピン受け部の形状はＵ字型を有して係合状態が外れない形状を有していることから、係止ピンからの第２の係止ピン受け部を脱着する操作も所謂、慣れを必要とする操作となる。
【０００８】
また、特許文献２の発明は、竿掛けアームを回動させて上向き方向に収納するタイプの物干し金物で、該竿掛けアームを回動させて上向き方向に収納する機構が複雑で、動きが円滑でなく、更には部品数が多いために製作コストが高い等の欠点がある。
【特許文献１】特許第３７３５２９５号公報
【特許文献２】特許第３０５１６９６号公報
【発明の開示】
【発明が解決しようとする課題】
【０００９】
本発明が解決しようとする発明は、角度可変タイプの壁付け型物干し金物において、該物干し金物の竿掛けアームは、水平面より略４０度の上傾きを有して固定されたり、水平方向に固定しての使用が可能であり、また、竿掛けアームを垂直方向で収納固定する機能を有した物干し竿支持装置を提供するものである。
【００１０】
また、本発明の物干し竿支持装置は、その機構を徹底して簡略化し、また、従来装置の如く、竿掛けアーム部材の角度可変操作において、長孔に沿ってアーム支持軸を摺動させながら、該竿掛けアーム部材を回動せしめ竿掛けアーム部材の先端部に設けられた第２の係止ピン受け部をそれぞれの係止ピンに係合するといった複雑な操作を排除して利用者が使いやすい円滑な動きや動作をすると共に該動作に伴う金属音の発生を防止した簡単構成で、製作コストも安価な物干し竿支持装置を提供するものである。
【００１１】
更にまた、本発明の物干し竿支持装置は、竿掛けアームを垂直方向で収納固定する機能を有した物干し金物を提供するもので、該物干し金物は竿掛けアームの収納時において、竿掛けアームの基部方向が手摺壁に沿って下向きに下がり配置されるので、手摺の足掛かり規定に準じる危険防止事項に当たるケースが生じる場合もあるが、この点に関しても竿掛けアームに刻設されるスライド溝を利用してストッパー機構を簡単に取り付けして解決可能な竿支持装置を提供するものである。
【課題を解決するための手段】
【００１２】
本発明は、例えば、複数個の物干し竿の挿通孔と復数個のハンガー掛け孔をそれぞれ穿設された一対の竿掛けアームと、該それぞれの竿掛けアームを保持するアーム保持具からなり、該一対の竿掛けアームはアーム保持具に対してそれぞれ４０度の固定や水平方向に固定しての使用が可能であり、該竿掛けアームの固定位置を任意に設定し物干し竿を装架することで該物干し竿に洗濯物を干すことを可能となし、また、一旦、一対の竿掛けアームを垂直方向に持ち上げてそのままそれぞれのアーム保持体に対して摺動させることにより竿掛けアームを下げ下ろし可能となし、該それぞれの竿掛けアームを垂直方向で収納固定する機能を有した物干し金物に関するものである。
【００１３】
本発明の上記物干し金物において、竿掛けアームはアーム上背側縁部に刻設した長手方向に伸びるスライド溝を有し、該スライド溝の端部で前記スライド溝の延長上に並列して第一のアーム枢着軸と第二のアーム枢着軸を突設して設け、該第一並びに第二のアーム枢着軸をアーム固定具の上部壁と斜壁並びにＲ壁と前壁が構成する竿掛けアーム挟持部に嵌着し、該アーム挟持部の範囲で摺動及び回動自在に枢設し、該第一のアーム枢着軸が前記アーム挟持部の斜壁に当接され第二のアーム枢着軸がアーム挟持部の前壁に当接されると前記竿掛けアーム長手方向が水平方向に保持保持されること、また、前記Ｒ壁の縁部間に第一のアーム枢着軸の係止突起を形成して、該係止突起に第一のアーム枢着軸が係止されると共に第二のアーム枢着軸がアーム挟持部の前壁に当接すると前記竿掛けアーム長手方向が水平方向から略４０度に保持されること最も主要な特徴とする。
【００１４】
また、本発明においてＲ壁の縁部間に形成される係止突起は、一個のみならず複数個形成され、該複数個の係止突起に第一のアーム枢着軸が係止されると共に第二のアーム枢着軸がアーム挟持部の前壁に当接するように構成し、前記竿掛けアーム長手方向が水平方向から略３０度、略６０度に保持されること、或いは略２０度、略４０度、略６０度に保持される構成を有している。
【００１５】
また、本発明は、竿掛けアームに刻設されたスライド溝の端部で前記スライド溝の延長上に並列、そして突設して設けられた第一のアーム枢着軸と第二のアーム枢着軸間は他の竿掛けアームの肉厚と同程度の薄厚形状を有し、前記竿掛けアームの第一並びに第二のアーム枢着軸をアーム固定具の上部壁と斜壁並びにＲ壁と前壁が構成する竿掛けアーム挟持部に嵌着した際に該第一のアーム枢着軸と第二のアーム枢着軸間の薄厚形状に前記アーム固定具の片側または両側から突設して設けられたアーム溝形成縁部が内設されて前記第一並びに第二のアーム枢着軸の回動並びに摺動溝を形成したこと、また、前記第一並びに第二のアーム枢着軸が回動並びに摺動する竿掛けアーム挟持部の縁部並びにアーム溝形成縁部には樹脂製の音止め部材を被覆して設けた構成としている。
【００１６】
また、本発明において、アーム保持具は、竿掛けアームを保持して該竿掛けアームを略４０度の上傾きに固定したり水平方向に固定しての使用が可能で、更にまた、竿掛けアームを垂直方向に持ち上げてそのままアーム保持具に対して摺動させることにより竿掛けアームを下げ下ろして竿掛けアームを垂直方向で収納固定する機能を有しており、該アーム保持具は手摺壁や手摺支柱に固定され該高さを伸長したり縮小可能な上下式ポールの上部に装着して利用可能に構成した。
【発明の効果】
【００１７】
斯くして本発明においては、角度可変タイプの壁付け型物干し金物において、該物干し金物の竿掛けアームは、水平面より略４０度の上傾きを有して固定されたり、水平方向に固定しての使用が可能であり、また、竿掛けアームを垂直方向で収納固定する機能を有した物干し竿支持装置を提供することができた。
【００１８】
また、本発明の物干し竿支持装置は、その機構を徹底して簡略化し、また、従来装置の如く、竿掛けアーム部材の角度可変操作において、長孔に沿ってアーム支持軸を摺動させながら、該竿掛けアーム部材を回動せしめ竿掛けアーム部材の先端部に設けられた第２の係止ピン受け部をそれぞれの係止ピンに係合するといった複雑な操作を排除することにより、利用者が使いやすい円滑な動きや動作をする簡単構成の物干し竿支持装置を提供することができた。
【００１９】
そして、上記構成の採用により本発明は、製作コストを安価に押さえると共に、前記竿掛けアーム挟持部の縁部、並びにアーム溝形成縁部には樹脂製の音止め部材を被覆した構成として、竿掛けアームの回動並びに摺動時に金属音の発生を防止した新しい物干し竿支持装置を提供することを可能にした。
【００２０】
更にまた、本発明の物干し竿支持装置は、竿掛けアームを垂直方向で収納固定する機能を有した物干し金物を提供するもので、該物干し金物は竿掛けアームの収納時において、竿掛けアームの基部方向が手摺壁に沿って下向きに下がり配置されるので、手摺の足掛かり規定に準じる危険防止事項に当たるケースが生じる場合もあるが、この点に関しても竿掛けアームに刻設されるスライド溝を利用してストッパー機構を簡単に取り付け可能とし、前記足掛かり規定に関する懸案事項を解決可能な竿支持装置を提供することができた。
【発明を実施するための最良の形態】
【００２１】
本発明は、複数個の物干し竿の挿通孔とをそれぞれ穿設された一対の竿掛けアームと、該それぞれの竿掛けアームを保持するアーム保持具からなり、該一対の竿掛けアームはアーム保持具に対してそれぞれ４０度の固定や水平方向に固定しての使用が可能であり、該竿掛けアームの固定位置を任意に設定し物干し竿を装架することで該物干し竿に洗濯物を干すことを可能となし、また、一旦、一対の竿掛けアームを垂直方向に持ち上げてそのままそれぞれのアーム保持体に対して摺動させることにより竿掛けアームを下げ下ろし可能となし、該それぞれの竿掛けアームを垂直方向で収納固定する機能を有した物干し金物において、前記、竿掛けアームはアーム上背側縁部に刻設した長手方向に伸びるスライド溝を有し、該スライド溝の端部で前記スライド溝の延長上に並列して第一のアーム枢着軸と第二のアーム枢着軸を突設して設け、該第一並びに第二のアーム枢着軸をアーム固定具の上部壁と斜壁並びにＲ壁と前壁が構成する竿掛けアーム挟持部に嵌着し、該アーム挟持部の範囲で摺動及び回動自在に枢設し、該第一のアーム枢着軸が前記アーム挟持部の斜壁に当接され第二のアーム枢着軸がアーム挟持部の前壁に当接されると前記竿掛けアーム長手方向が水平方向に保持保持されること、また、前記Ｒ壁の縁部間に第一のアーム枢着軸の係止突起を形成して、該係止突起に第一のアーム枢着軸が係止されると共に第二のアーム枢着軸がアーム挟持部の前壁に当接すると前記竿掛けアーム長手方向が水平方向から略４０度に保持される形態としたことが好ましい。
【００２２】
また、本発明において、Ｒ壁の縁部間に形成される係止突起は、一個のみならず複数個形成され、該複数個の係止突起に第一のアーム枢着軸が係止されると共に第二のアーム枢着軸がアーム挟持部の前壁に当接するように構成し、前記竿掛けアーム長手方向が水平方向から略３０度、略６０度に保持されること、或いは略２０度、略４０度、略６０度に保持される形態としたことが好ましい。
【００２３】
また、本発明は、竿掛けアームに刻設されたスライド溝の端部で前記スライド溝の延長上に並列、そして突設して設けられた第一のアーム枢着軸と第二のアーム枢着軸間は他の竿掛けアームの肉厚と同程度の薄厚形状を有し、前記竿掛けアームの第一並びに第二のアーム枢着軸をアーム固定具の上部壁と斜壁並びにＲ壁と前壁が構成する竿掛けアーム挟持部に嵌着した際に該第一のアーム枢着軸と第二のアーム枢着軸間の薄厚形状に前記アーム固定具の片側または両側から突設して設けられたアーム溝形成縁部が内設されて前記第一並びに第二のアーム枢着軸の回動並びに摺動溝を形成したこと、また、前記第一並びに第二のアーム枢着軸が回動並びに摺動する竿掛けアーム挟持部の縁部並びにアーム溝形成縁部には樹脂製の音止め部材を被覆して設けた構成が好ましい。
【００２４】
更にまた、本発明は、アーム保持具は竿掛けアームを保持して該竿掛けアームを略４０度の上傾きに固定したり水平方向に固定しての使用が可能で、更にまた、竿掛けアームを垂直方向に持ち上げてそのままアーム保持具に対して摺動させることにより竿掛けアームを下げ下ろして竿掛けアームを垂直方向で収納固定する機能を有しており、該アーム保持具は手摺壁や手摺支柱に固定され該高さを伸長したり縮小可能な上下式ポールの上部に装着して利用可能に構成した形態が好ましい。
【実施例１】
【００２５】
本発明の実施例を図１乃至図４に基づき説明する。図１は本発明の物干し竿支持装置を説明する側面図で竿掛けアームが水平方向から略４０度に保持された形態を示す、図２は図１と同様に本発明の物干し竿支持装置を説明する側面図で竿掛けアームが水平方向に保持された形態を示す、図３は図１並びに図２と同様に本発明の物干し竿支持装置を説明する側面図で竿掛けアームの収納状態を示す、図４ａ乃至図４ｇは竿掛けアームがアーム挟持部に枢着され該部分での作動状態を説明する駆動図である。
【００２６】
図１乃至図４に於いて、１はバルコニーやベランダの手摺を構成するコンクリートの腰壁からなる手摺壁、２は該コンクリートの手摺面に固定されるアーム保持具、３は竿掛けアームであり、該竿掛けアーム３には複数個の物干し竿の挿通孔４ａ、４ｂ、４ｃ・・・が穿設されており、また、復数個のハンガー掛け孔５ａ、５ｂ、５ｃ・・・が穿設されている。
【００２７】
また、竿掛けアーム３のアーム上背側縁部６には、該竿掛けアーム３の長手方向に伸びるスライド溝７が刻設されており、該スライド溝７の端部８で前記スライド溝７の延長上に並列して第一のアーム枢着軸９と第二のアーム枢着軸１０を突設して設けている（この状態はアーム保持具２を断面図的に示した図３並びに図４にて示している）。
尚、１１はスライド溝７のストローク間で任意にビス１２で固着できるストッパーで、該ストッパー１１を介して前記竿掛けアームの上下摺動方向の動きはコントロールされている。
【００２８】
而して、竿掛けアーム３に刻設されたスライド溝７の延長上に並列して設けられた第一のアーム枢着軸９と第二のアーム枢着軸１０は、前記アーム固定具２に内装される上部壁１３と斜壁１４、並びにＲ壁１５と前壁１６が構成する竿掛けアーム挟持部１７に嵌着し、該アーム挟持部１７の範囲で摺動及び回動自在に枢設し、該第一のアーム枢着軸９が前記アーム挟持部１７の斜壁１４に当接され第二のアーム枢着軸１０がアーム挟持部１７の前壁１６に当接されると前記竿掛けアーム３長手方向が図２に示す如く水平方向に保持される。      
【００２９】
また、前記Ｒ壁１５の縁部１８間に第一のアーム枢着軸９の係止突起１９を形成して、該係止突起１９に第一のアーム枢着軸９が係止されると共に第二のアーム枢着軸１０がアーム挟持部１７の前壁１６に当接すると前記竿掛けアーム３の長手方向が図１に示す如く水平方向から略４０度に保持される。
【００３０】
また、本発明の実施例１では、一旦、竿掛けアーム３を垂直方向に持ち上げてそのままアーム保持体２のガイド２０、２１沿って摺動させることにより竿掛けアーム３を下げ下ろし可能となし、該竿掛けアーム３を垂直方向で図３の如く収納固定することも可能である。
【００３１】
而して図４ａ乃至図４ｇは、上述した竿掛けアーム３の駆動動作を連続して図示したものであり、図４ａは竿掛けアーム３の第一のアーム枢着軸９がアーム挟持部１７のＲ壁１５に設けられた係止突起１９に係止されると共に第二のアーム枢着軸１０がアーム挟持部１７の前壁１６に当接した状態を示し、この状態で前記竿掛けアーム３の長手方向は図１に示す如く水平方向から略４０度に保持される。
【００３２】
次に、竿掛けアーム３を図４ａに状態で矢印の如く上方に心持ち引き上げると、竿掛けアーム３は図４ｂに示す如く第一のアーム枢着軸９がアーム挟持部１７のＲ壁１５に設けられた係止突起１９から外れ第二のアーム枢着軸１０が上部壁１３に当接され、該部分を中心に竿掛けアーム３を図４ｂの矢印の如く回動可能にする。
【００３３】
図４ｃは第二のアーム枢着軸１０が上部壁１３に当接され、該部分を中心に竿掛けアーム３を回動すると第一のアーム枢着軸９が斜壁１４に当接するために向かう過程を示している。
【００３４】
図４ｄは第一のアーム枢着軸９が斜壁１４に当接して第二のアーム枢着軸１０が前壁１６に当接した状態を示し、該状態にて竿掛けアーム３は図２に示す如く水平状態にガタツキなく保持される。
【００３５】
次に、図４ｅは前記、図４ｄの竿掛けアーム３水平状態から、該竿掛けアーム３を図４ｅの矢印の如く上部に持ち上げて第二のアーム枢着軸１０を上部壁１３に当接した状態を示している。
【００３６】
図４ｆは第二のアーム枢着軸１０を中心に回動し、竿掛けアーム３を垂直方向に持ち上げて、収納位置に固定する準備過程を示している。
【００３７】
図４ｇは図４ｆの状態から竿掛けアーム３を垂直に下げ下ろして垂直方向で収納固定した状態を示している。
【００３８】
尚、アーム保持具２の上部に当接するストッパー１１は、スライド溝７のストローク間で任意位置に固着できるストッパー１１で、該ストッパー１１を介して前記竿掛けアーム３の上下摺動方向の動きはコントロールされ、竿掛けアーム３の垂直方向での収納時において、竿掛けアーム３の基部方向が手摺壁１に沿って下向きに下がり配置されるので、手摺の足掛かり規定に準じる危険防止事項に当たるケースが生じる場合もあるが、この点に関しても竿掛けアーム３に刻設されるスライド溝７を利用してストッパー１１からなるストッパー機構を簡単に取り付け可能とし、前記足掛かり規定に関する懸案事項を解決可能な竿支持装置を提供することができた。
【００３９】
また、実施例１は、前記竿掛けアーム３に刻設されたスライド溝７の端部で前記スライド溝７の延長上に並列、そして突設して設けられた第一のアーム枢着軸９と第二のアーム枢着軸１０間は他の竿掛けアーム３の肉厚と同程度の薄厚形状を有し、前記竿掛けアーム３の第一の枢着軸９並びに第二のアーム枢着軸１０をアーム固定具２の上部壁１３と斜壁１４並びにＲ壁１５と前壁１６が構成する竿掛けアーム挟持部１７に嵌着した際に該第一のアーム枢着軸９と第二のアーム枢着軸１０間の薄厚形状に前記アーム固定具２の片側または両側から突設して設けられたアーム溝形成縁部２２が内設されて前記第一のアーム枢着軸９並びに第二のアーム枢着軸１０の回動並びに摺動溝となる竿掛けアーム挟持部１７を形成したものである。
【００４０】
また、前記竿掛けアーム挟持部１７の縁部１８並びにアーム溝形成縁部２２にの縁部側等には樹脂製の音止め部材を被覆して設け、竿掛けアーム３の回動並びに摺動時に金属音の発生を防止した新しい物干し竿支持装置を提供することができた。
【実施例２】
【００４１】
図５は、本発明の実施例２を説明するアーム保持具２の断面図を示し、図５において、図１乃至図４と同一符号は、同一構成要素を示している。
【００４２】
図５において、２はアーム保持具、該アーム保持具２には、上部壁１３、斜壁１４，並びにＲ壁１５と前壁１６から構成されるアーム挟持部１７が設けられており、前記Ｒ壁１５の縁部１８間には第一のアーム枢着軸９（図示せず）が係止される例えば二つの係止突起１９ａ、１９ｂが設けられている。
【００４３】
而して、実施例２は、前記Ｒ壁１５の縁部１８間に形成される係止突起１９は一個のみならず複数個形成され、該複数個の係止突起１９ａ、１９ｂに第一のアーム枢着軸９が係止されると共に第二のアーム枢着軸１０がアーム挟持部１７の前壁１６に当接するように構成し、前記竿掛けアーム３の長手方向が水平方向から略３０度、略６０度に保持されること、或いは略２０度、略４０度、略６０度に保持されることを可能にしている。
【実施例３】
【００４４】
図６は本発明の実施例３を示す説明図であり、図６において、図１乃至図５と同一符号は同一構成要素を示している。
【００４５】
而して、図６において、１は例えば手摺壁（金属製手摺の支柱の場合もある）、２は本発明の主な要旨を有したアーム保持具、３は竿掛けアーム、４ａ、４ｂ、４ｃ・・・は竿掛けアームに穿設された物干し竿挿通孔、７はスライドアームである。
【００４６】
而して、前記アーム固定具２は竿掛けアーム３を保持し、該竿掛けアーム３を略４０度の上傾きに固定したり（図６はこの状態を示す）、水平方向に固定しての使用が可能で、更にまた、竿掛けアーム３を垂直方向に持ち上げて、そのままアーム保持具２に対して摺動させることにより竿掛けアーム３を下げ下ろして竿掛けアーム３を垂直方向で収納固定する機能を有している。
【００４７】
また、前記アーム保持具２は手摺壁１に固定され高さを伸長したり縮小可能な上下式摺動ポール２３の上部にビス等で装着されており、該上下式摺動ポール２３は取付具２４を介して前記手摺壁１に対して摺動可能に設置されており、上下式摺動ポール２３の高さを伸長動作することにより物干掛けアーム３は充分に高い位置３’に移動させることができる。
【産業上の利用可能性】
【００４８】
斯くして本発明においては、角度可変タイプの壁付け型物干し金物において、該物干し金物の竿掛けアームは、水平面より略４０度の上傾きを有して固定されたり、水平方向に固定しての使用が可能であり、また、竿掛けアームを垂直方向で収納固定する機能を有した物干し竿支持装置を提供することが可能である。
【００４９】
また、本発明の物干し竿支持装置は、その機構を徹底して簡略化し、また、従来装置の如く、竿掛けアーム部材の角度可変操作において、長孔に沿ってアーム支持軸を摺動させながら、該竿掛けアーム部材を回動せしめ竿掛けアーム部材の先端部に設けられた第２の係止ピン受け部をそれぞれの係止ピンに係合するといった複雑な操作を排除することにより、利用者が使いやすい円滑な動きや動作をする簡単構成の物干し竿支持装置を提供することができた。
【００５０】
そして、上記構成の採用により本発明は、製作コストを安価に押さえた新しい物干し竿支持装置を提供するもので、当該効果を有する本発明の産業上の利用可能性は多大なものがある。
【図面の簡単な説明】
【００５１】
【図１】本発明の実施例１を説明する側面図である。
【図２】本発明の実施例１を説明する側面図である。
【図３】本発明の実施例１を説明する側面図である。
【図４】実施例１において竿掛けアームの作動状態を説明する駆動図である。
【図５】実施例２を説明する要部断面図である。
【図６】実施例３を説明する側面図である。
【符号の説明】
【００５２】
１  手摺壁
２  アーム保持具
３、３’  竿掛けアーム
４ａ、４ｂ、４ｃ・・・  物干し竿挿通孔  
５ａ、５ｂ、５ｃ・・・  ハンガー掛け孔  
６  アーム上背側縁部  
７  スライド溝  
８  スライド溝の端部  
９  第一のアーム枢着軸  
１０  第二のアーム枢着軸
１１  ストッパー
１２  ビス
１３  上部壁  
１４  斜壁  
１５  Ｒ壁  
１６  前壁  
１７  アーム挟持部  
１８  Ｒ壁の縁部  
１９、１９ａ、１９ｂ  係止突起  
２０  ガイド
２１  ガイド  
２２  アーム溝形成縁部  
２３  上下式摺動ポール
２４  取付具
【図１】
2008022944.tif 000003
【図２】
2008022944.tif 000004
【図３】
2008022944.tif 000005
【図４ａ】
2008022944.tif 000006
【図４ｂ】
2008022944.tif 000007
【図４ｃ】
2008022944.tif 000008
【図４ｄ】
2008022944.tif 000009
【図４ｅ】
2008022944.tif 000010
【図４ｆ】
2008022944.tif 000011
【図４ｇ】
2008022944.tif 000012
【図５】
2008022944.tif 000013
【図６】
2008022944.tif 000014